(57)【要約】【課題】  予約録画の設定データが不完全であっても、少なくとも予約録画を行うために必要な所定の予約録画の設定データが入力されたとき、自動電源オフ時間を延長し、自動電源オフ時間が経過したときであっても、予約録画の録画開始時刻の所定時間前である場合、記録再生装置の自動電源オフより優先して予約録画を行うことができるようにする。【解決手段】  少なくとも予約録画を行うために必要な所定の予約録画の設定データが入力されたとき、記録再生装置に書き換え可能な記録媒体が装着されている場合、自動電源オフ時間をデフォルト値に設定変更して、自動電源オフ時間が経過したとき、予約録画の録画開始時刻の所定時間前である場合、記録再生装置の電源をオフにせず、該予約録画の設定データに基づいて予約録画を行い、予約録画の設定データに録画終了時刻が設定されていない場合、記録媒体の記録領域の終端まで予約録画を行うようにする。【選択図】        図１
2005136576.tif 000002
【特許請求の範囲】
【請求項１】
テレビ放送を受信するチューナを有し、選択されたチャンネルのテレビ放送番組を受信して、受信したテレビ放送番組を記録媒体に予約録画する記録再生装置であって、
予約録画の設定データを入力する入力手段と、前記入力手段により入力された予約録画の設定データを記憶する不揮発性メモリと、前記記録再生装置の未動作が継続したとき、前記記録再生装置の電源をオフにする自動電源オフ時間を設定する電源オフ時間設定手段と、前記入力手段により少なくとも予約録画を行うために必要な所定の予約録画の設定データが入力されたとき、前記記録再生装置に書き換え可能な記録媒体が装着されている場合、前記電源オフ時間設定手段により設定された自動電源オフ時間をデフォルト値に設定変更する電源オフ時間設定変更手段と、前記記録再生装置の未動作が継続して、前記電源オフ時間設定手段により設定された自動電源オフ時間が経過したとき、前記記録再生装置の電源をオフにする電源制御手段であって、前記電源オフ時間設定変更手段により設定変更された自動電源オフ時間が経過したとき、前記不揮発性メモリに記憶されている予約録画の録画開始時刻の所定時間前である場合、前記記録再生装置の電源をオフにしない電源制御手段と、前記不揮発性メモリに少なくとも予約録画を行うために必要な所定の予約録画の設定データが記憶されている場合、該予約録画の設定データに基づいて予約録画を行うとともに、前記不揮発性メモリに記憶されている予約録画の設定データに録画終了時刻が設定されていない場合、記録媒体の記録領域の終端まで予約録画を行う録画制御手段とを備えたことを特徴とする記録再生装置。
【請求項２】
テレビ放送を受信するチューナを有し、選択されたチャンネルのテレビ放送番組を受信して、受信したテレビ放送番組を記録媒体に予約録画する記録再生装置であって、
予約録画の設定データを入力する入力手段と、前記入力手段により入力された予約録画の設定データを記憶する記憶手段と、前記記録再生装置の未動作が継続したとき、前記記録再生装置の電源をオフにする自動電源オフ時間を設定する電源オフ時間設定手段と、前記入力手段により少なくとも予約録画を行うために必要な所定の予約録画の設定データが入力されたとき、前記記録再生装置に書き換え可能な記録媒体が装着されている場合、前記電源オフ時間設定手段により設定された自動電源オフ時間をデフォルト値に設定変更する電源オフ時間設定変更手段と、前記記録再生装置の未動作が継続して、前記電源オフ時間設定変更手段により設定変更された自動電源オフ時間が経過したとき、前記記憶手段に記憶されている予約録画の設定データに基づいて前記記録再生装置の電源を制御する電源制御手段と、前記記憶手段に少なくとも予約録画を行うために必要な所定の予約録画の設定データが記憶されている場合、該予約録画の設定データに基づいて予約録画を行う録画制御手段とを備えたことを特徴とする記録再生装置。
【請求項３】
前記電源制御手段は、前記電源オフ時間設定変更手段により設定された自動電源オフ時間が経過したとき、前記記憶手段に記憶されている予約録画の録画開始時刻の所定時間前である場合、前記記録再生装置の電源をオフに制御しない電源制御手段であることを特徴とする請求項２記載の記録再生装置。
【請求項４】
前記録画制御手段は、前記記憶手段に記憶されている予約録画の設定データに録画終了時刻が設定されていない場合、記録媒体の記録領域の終端まで予約録画を行う録画制御手段であることを特徴とすることを特徴とする請求項２記載の記録再生装置。
【請求項５】
前記記憶手段は、不揮発性メモリであることを特徴とする請求項２記載の記録再生装置。
【発明の詳細な説明】
【技術分野】
【０００１】
本発明は、磁気テープ、ＤＶＤ（Ｄｉｇｉｔａｌ  Ｖｅｒｓａｔｉｌｅ  Ｄｉｓｃ）等の光ディスク、ハードディスク等の書き換え可能な記録媒体にテレビ放送番組を記録する記録再生装置に係り、特に自動電源オフより優先して予約録画を行う記録再生装置に関する。
【背景技術】
【０００２】
従来、テレビ放送番組を記録再生する記録再生装置は、テレビ放送番組の予約録画を設定する場合、チャンネル、放送日、録画開始時刻、録画終了時刻を入力して、予約キーを操作することにより、予約録画が予約されるようになっている。しかし、予約録画の設定中に、何かの事情により入力が途中で中断されると、所定時間が経過して自動電源オフ機能により記録再生装置の電源が自動的にオフになり、予約録画の設定中に入力されていた情報が消去され、予約録画が行われないという問題点があった。
【０００３】
背景技術としては、一定時間内にチャンネル切換等のキー操作が行われないとき、装置への電源供給を停止するようにしたものがあった（例えば、特許文献１、２及び３参照）。
【０００４】
また、キー入力により記録再生装置が停止されたときから所定時間内に停止以外の新たなキー入力がないとき、停止以前の記録再生装置の動作状態データを退避して保存し、記録再生装置の電源をオフするようにしたものがあった（例えば、特許文献４参照）。
【０００５】
また、予め設定された時間内にキーボード等のキー操作が行われないとき、コンピュータに接続された受像機の電源を遮断するようにしたものがあった（例えば、特許文献５参照）。
【特許文献１】特開昭５５−１５９６４３号公報
【特許文献２】実開昭６２−１０３３７０号公報
【特許文献３】特許第２６７６９０５号公報
【特許文献４】実用新案登録第２５２０５９３号公報
【特許文献５】実開平７−４３８９０号公報
【発明の開示】
【発明が解決しようとする課題】
【０００６】
しかしながら、背景技術で述べたもののうち最初のものにおいては、一定時間内にチャンネル切換等のキー操作が行われないとき、装置への電源供給を停止するようにしたものであって、予約録画の設定中に一定時間キー操作が行われないと、記録再生装置の電源がオフになり、予約録画の設定中に入力されていた情報が消去され、予約録画が行われないという問題点を解決するものではなかった。
【０００７】
また、次のものにおいては、キー入力により記録再生装置が停止されたときから所定時間内に停止以外の新たなキー入力がないとき、停止以前の記録再生装置の動作状態データを退避して保存し、記録再生装置の電源をオフするようにしたものであって、上記同様、予約録画の設定中に一定時間キー操作が行われないと、記録再生装置の電源がオフになり、予約録画の設定中に入力されていた情報が消去され、予約録画が行われないという問題点を解決するものではなかった。
【０００８】
また、更にその次のものにおいては、予め設定された時間内にキーボード等のキー操作が行われないとき、コンピュータに接続された受像機の電源を遮断するようにしたものであって、上記同様、予約録画の設定中に一定時間キー操作が行われないと、記録再生装置の電源がオフになり、予約録画の設定中に入力されていた情報が消去され、予約録画が行われないという上記した問題点を解決するものではなかった。
【０００９】
本発明は、背景技術の有するこのような問題点に鑑みてなされたものであり、その目的とするところは、予約録画の設定データが不完全であっても、少なくとも予約録画を行うために必要な所定の予約録画の設定データが入力されたとき、自動電源オフ時間を延長し、自動電源オフ時間が経過したときであっても、予約録画の録画開始時刻の所定時間前である場合、記録再生装置の自動電源オフより優先して予約録画を行うことができる記録再生装置を提供しようとするものである。
【課題を解決するための手段】
【００１０】
上記目的を達成するため本発明においては、テレビ放送を受信するチューナを有し、選択されたチャンネルのテレビ放送番組を受信して、受信したテレビ放送番組を記録媒体に予約録画する記録再生装置であって、予約録画の設定データを入力する入力手段と、前記入力手段により入力された予約録画の設定データを記憶する記憶手段と、前記記録再生装置の未動作が継続したとき、前記記録再生装置の電源をオフにする自動電源オフ時間を設定する電源オフ時間設定手段と、前記入力手段により少なくとも予約録画を行うために必要な所定の予約録画の設定データが入力されたとき、前記記録再生装置に書き換え可能な記録媒体が装着されている場合、前記電源オフ時間設定手段により設定された自動電源オフ時間をデフォルト値に設定変更する電源オフ時間設定変更手段と、前記記録再生装置の未動作が継続して、前記電源オフ時間設定変更手段により設定変更された自動電源オフ時間が経過したとき、前記記憶手段に記憶されている予約録画の設定データに基づいて前記記録再生装置の電源を制御する電源制御手段と、前記記憶手段に少なくとも予約録画を行うために必要な所定の予約録画の設定データが記憶されている場合、該予約録画の設定データに基づいて予約録画を行う録画制御手段とを備える。
【００１１】
前記電源制御手段は、前記電源オフ時間設定変更手段により設定された自動電源オフ時間が経過したとき、前記記憶手段に記憶されている予約録画の録画開始時刻の所定時間前である場合、前記記録再生装置の電源をオフに制御しないようにするとよい。
【００１２】
前記録画制御手段は、前記記憶手段に記憶されている予約録画の設定データに録画終了時刻が設定されていない場合、記録媒体の記録領域の終端まで予約録画を行うようにするとよい。
【００１３】
前記記憶手段は、不揮発性メモリとするとよい。
【００１４】
これらの手段により、予約録画の設定データが不完全であっても、少なくとも予約録画を行うために必要な所定の予約録画の設定データが入力されたとき、自動電源オフ時間を延長し、自動電源オフ時間が経過したときであっても、予約録画の録画開始時刻の所定時間前である場合、記録再生装置の自動電源オフより優先して予約録画を行うことができる。
【発明の効果】
【００１５】
請求項１記載の発明に係る記録再生装置によれば、入力された予約録画の設定データを不揮発性メモリに記憶して、記録再生装置の未動作が継続したとき、記録再生装置の電源をオフにする自動電源オフ時間を設定し、少なくとも予約録画を行うために必要な所定の予約録画の設定データが入力されたとき、記録再生装置に書き換え可能な記録媒体が装着されている場合、設定された自動電源オフ時間をデフォルト値に設定変更し、記録再生装置の未動作が継続して、デフォルト値に設定変更された自動電源オフ時間が経過したとき、不揮発性メモリに記憶されている予約録画の録画開始時刻の所定時間前である場合、記録再生装置の電源をオフにせず、不揮発性メモリに少なくとも予約録画を行うために必要な所定の予約録画の設定データが記憶されている場合、該予約録画の設定データに基づいて予約録画を行い、不揮発性メモリに記憶されている予約録画の設定データに録画終了時刻が設定されていない場合、記録媒体の記録領域の終端まで予約録画を行うようにしているので、予約録画の設定データが不完全であっても、少なくとも予約録画を行うために必要な所定の予約録画の設定データが入力されたとき、設定された自動電源オフ時間をデフォルト値に設定変更して自動電源オフ時間を延長し、自動電源オフ時間が経過したときであっても、予約録画の録画開始時刻の所定時間前である場合、記録再生装置の自動電源オフより優先して予約録画を行うことができる。
【００１６】
請求項２記載の発明に係る記録再生装置によれば、入力された予約録画の設定データを記憶して、記録再生装置の未動作が継続したとき、記録再生装置の電源をオフにする自動電源オフ時間を設定し、少なくとも予約録画を行うために必要な所定の予約録画の設定データが入力されたとき、記録再生装置に書き換え可能な記録媒体が装着されている場合、設定された自動電源オフ時間をデフォルト値に設定変更し、記録再生装置の未動作が継続して、デフォルト値に設定変更された自動電源オフ時間が経過したとき、記憶されている予約録画の設定データに基づいて記録再生装置の電源を制御して、少なくとも予約録画を行うために必要な所定の予約録画の設定データが記憶されている場合、該予約録画の設定データに基づいて予約録画を行うようにしているので、予約録画の設定データが不完全であっても、少なくとも予約録画を行うために必要な所定の予約録画の設定データが入力されたとき、自動電源オフ時間をデフォルト値に設定変更して自動電源オフ時間を延長し、自動電源オフ時間が経過したときであっても、予約録画の設定データに基づいて記録再生装置の電源が制御され、記録再生装置の自動電源オフより優先して予約録画を行うことができる。
【００１７】
請求項３記載の発明に係る記録再生装置によれば、設定された自動電源オフ時間が経過したとき、記憶されている予約録画の録画開始時刻の所定時間前である場合、記録再生装置の電源をオフに制御しないようにしているので、自動電源オフ時間が経過したときであっても、予約録画の録画開始時刻の所定時間前である場合、記録再生装置の自動電源オフより優先して予約録画を行うことができる。
【００１８】
請求項４記載の発明に係る記録再生装置によれば、記憶されている予約録画の設定データに録画終了時刻が設定されていない場合、記録媒体の記録領域の終端まで予約録画を行うようにしているので、予約録画の設定データが不完全であっても、予約録画の設定データに基づいて予約録画を行うことができる。
【００１９】
請求項５記載の発明に係る記録再生装置によれば、予約録画の設定データを不揮発性メモリに記憶するようにしているので、記録再生装置の電源がオフにされても、記憶内容をそのまま維持することができる。
【発明を実施するための最良の形態】
【００２０】
以下、適宜図面を参照しながら本発明を実施するための最良の形態を詳述する。図１は本発明の一実施例の記録再生装置の構成を示すブロック図であり、図２は本発明の一実施例の記録再生装置のリモコン装置を示す説明図であり、図３は本発明の一実施例の記録再生装置の自動電源オフ時間の設定画面の表示例を示す図であり、図４は本発明の一実施例の記録再生装置の自動電源オフの動作を示すフローチャートであり、図５は本発明の一実施例の記録再生装置の予約録画の動作を示すフローチャートである。
【００２１】
まず、図１の本発明の一実施例の記録再生装置の構成を示すブロック図を基に説明する。
【００２２】
記録再生装置１０は、アンテナ２０により受信されたテレビ放送電波から選択されたチャンネルのテレビ放送を受信するチューナ１１と、チューナ１１により受信されたテレビ放送の映像音声信号を検波して増幅する検波増幅回路１２と、記録媒体に映像音声信号を記録再生する記録再生部１３と、映像信号に文字情報信号を重畳して、記録再生装置１０に接続されたモニタ装置３０の画面に文字情報を表示するＯＳＤ（Ｏｎ−Ｓｃｒｅｅｎ  Ｃｈａｒａｃｔｅｒ  Ｄｉｓｐｌａｙ）回路１４と、記録再生装置１０のシステム全体を制御するマイコン１５と、予約録画の設定データを記憶する不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ‐Ｏｎｌｙ  Ｍｅｍｏｒｙ）１６と、日付／時刻情報を出力する時計回路１７と、リモコン装置２１から送信された赤外線信号のリモコン信号を受信して、所定の電気信号に変換するリモコン受信部１８と、記録再生装置１０の電源を制御する電源制御回路１９とで構成されている。
【００２３】
また、リモコン装置２１には、図２に示すように、記録再生装置１０の電源オン／オフを指令する電源キー２１ａ、メニュ画面の表示を指令するメニュキー２１ｂ、メニュ画面に表示された選択項目を選択するカーソルキー２１ｃ、カーソルキー２１ｃにより選択された選択項目の選択を決定する決定キー２１ｄ、テレビ放送チャンネルを選択するチャンネルキー２１ｅ、予約録画を予約する予約キー２１ｆ等の複数の操作キーが設けられていて、それらの操作キーを操作することにより記録再生装置１０を所望動作させることができるようになっている。
【００２４】
以上のように構成された記録再生装置について、以下その動作について説明する。
【００２５】
リモコン装置２１の操作キーが操作されると、操作された操作キーのリモコン信号がリモコン装置２１から赤外線信号のリモコン信号として送信され、リモコン受信部１８により受信され、所定の電気信号に変換されてマイコン１５に送出される。メニュ画面の表示を指令するリモコン装置２１のメニュキー２１ｂのリモコン信号を受信すると、マイコン１５は、文字情報信号と制御信号とをＯＳＤ回路１４に送出して、モニタ装置３０の画面にメニュ画面を表示する（図示せず）。リモコン装置２１のカーソルキー２１ｃと決定キー２１ｄとの操作によりメニュ画面に表示された自動電源オフ時間の設定が選択されると、マイコン１５は、文字情報信号と制御信号とをＯＳＤ回路１４に送出して、自動電源オフ時間の設定画面をモニタ装置３０の画面３０ａに表示する（図３参照）。ユーザは、リモコン装置２１のカーソルキー２１ｃを操作して、モニタ装置３０の画面３０ａに表示された自動電源オフ時間を増減し、リモコン装置２１の決定キー２１ｄを操作して、記録再生装置１０の未動作が継続したときに、記録再生装置１０の電源をオフにする自動電源オフ時間を所望の時間、例えば、４時間に設定する。なお、自動電源オフ時間が設定されていない場合、自動電源オフ時間は、デフォルト値、例えば、１２時間に設定されるようになっている。
【００２６】
テレビ放送番組の予約録画を設定する場合、ユーザは、リモコン装置２１のカーソルキー２１ｃ、決定キー２１ｄ、チャンネルキー２１ｅを操作して、テレビ放送のチャンネル、放送日、録画開始時刻、録画終了時刻の予約録画の設定データを入力し、リモコン装置２１の予約キー２１ｆを操作して、所望のテレビ放送番組の予約録画を予約する。予約録画の設定データが入力されると、マイコン１５は、入力された予約録画の設定データをＥＥＰＲＯＭ１６に記憶する。しかし、何かの事情により予約録画の設定データの入力が途中で中断され、録画終了時刻が設定されていない場合であっても、予約録画を行うために必要なチャンネル、放送日、録画開始時刻が入力されると、マイコン１５は、設定されたチャンネル、放送日、録画開始時刻を予約録画の設定データとしてＥＥＰＲＯＭ１６に記憶する。
【００２７】
記録再生装置１０の動作状態は常時監視されていて、記録再生装置１０の未動作が継続して、設定された自動電源オフ時間が経過すると、記録再生装置１０の電源が自動的にオフにされるようになっている。記録再生装置１０の動作状態の監視は、所定時間毎のタイマ割り込み要求により実行され、所定時間毎のタイマ割り込み要求が発生すると、マイコン１５は、記録再生装置１０が通常動作、即ち記録媒体に記録された映像音声信号の再生、或いは記録媒体に映像音声信号の記録の実行中であるか否かを判断して、記録再生装置１０の通常動作の実行中でなく、且つ予約録画の設定データの入力中でない場合、記録再生装置１０の未動作が継続すると、記録再生装置１０の未動作時間を計時して、自動電源オフ時間が経過すると、電源制御回路１９に制御信号を送出して記録再生装置１０の電源をオフにする。
【００２８】
テレビ放送番組の予約録画の設定データの入力中である場合、マイコン１５は、少なくとも予約録画の行うために必要な所定の予約録画の設定データ、即ちチャンネル、放送日、録画開始時刻が入力され、且つ記録再生装置１０に書き換え可能な記録媒体が装着されている場合、ユーザが設定した自動電源オフ時間をデフォルト値に設定変更して自動電源オフ時間を延長する。そして、マイコン１５は、記録再生装置１０の未動作が継続して、デフォルト値に設定変更された自動電源オフ時間が経過したとき、時計回路１７から出力された日付／時刻情報の日付／時刻とＥＥＰＲＯＭ１６に記憶されている予約録画の設定データとを比較して、該予約録画の放送日の録画開始時刻の所定時間前、例えば、２時間前である場合、記録再生装置１０の電源をオフにせず、チューナ１１に制御信号を送出して、該予約録画の設定データのチャンネルのテレビ放送を受信して予約録画の準備をする。また、時計回路１７から出力された日付／時刻情報の日付／時刻が該予約録画の設定データの放送日の録画開始時刻の所定時間前でない場合は、マイコン１５は、電源制御回路１０に制御信号を送出して記録再生装置１０の電源をオフにする。記録再生装置１０の電源がオフになっている場合、時計回路１７から出力された日付／時刻情報の日付／時刻がＥＥＰＲＯＭ１６に記憶されている予約録画の設定データの放送日の録画開始時刻の所定時間前、例えば、１分前になると、マイコン１５は、電源制御回路１９に制御信号を送出して、記録再生装置１０の電源をオンにし、チューナ１１に制御信号を送出して、該予約録画の設定データのチャンネルのテレビ放送を受信して予約録画を準備する。
【００２９】
時計回路１７から出力された日付／時刻情報の時刻がＥＥＰＲＯＭ１６に記憶されている予約録画の設定データの録画開始時刻になると、マイコン１５は、記録再生部１３に制御信号を送出して、チューナ１１により受信されたテレビ放送番組の予約録画を開始する。ＥＥＰＲＯＭ１６に記憶されている予約録画の設定データに録画終了時刻が設定されている場合、時計回路１７から出力された日付／時刻情報の時刻が予約録画の設定データの録画終了時刻になると、マイコン１５は、記録再生部１３に制御信号を送出して予約録画を終了し、電源制御回路１９に制御信号を送出して記録再生装置１０の電源をオフにする。また、ＥＥＰＲＯＭ１６に記憶されている予約録画の設定データに録画終了時刻が設定されていない場合、マイコン１５は、記録媒体の記録領域の終端まで予約録画を行い、記録媒体の記録領域の終端になったとき、記録再生部１３に制御信号を送出して予約録画を終了し、電源制御回路１９に制御信号を送出して記録再生装置１０の電源をオフにする。また、予約録画の録画終了時刻が設定されていない場合、予約録画中に、リモコン装置２１の操作キーの操作により予約録画の録画終了時刻が設定された場合、マイコン１５は、上述したように、予約録画の終了時刻まで予約録画を行い、予約録画の録画終了時刻になると、記録再生部１３に制御信号を送出して予約録画を終了し、電源制御回路１９に制御信号を送出して記録再生装置１０の電源をオフにする。また、予約録画の録画終了時刻が設定されていない場合、予約録画中に、リモコン装置２１の電源キー２１ａの操作により記録再生装置の電源オフが指令されると、マイコン１５は、記録再生部１３に制御信号を送出して予約録画を終了し、電源制御回路１９に制御信号を送出して記録再生装置１０の電源をオフにする。
【００３０】
また、図４の本発明の一実施例の記録再生装置の自動電源オフの動作を示すフローチャートを基に説明する。
【００３１】
所定時間毎のタイマ割り込み要求が発生すると、ステップＳ１からステップＳ２に進み、ステップＳ２で、記録再生装置が通常動作の実行中であるか否かが判断され、記録再生装置が通常動作の実行中である場合、ステップＳ１３に進んで処理を終了し、記録再生装置が通常動作の実行中でない場合、ステップＳ３に進む。
【００３２】
ステップＳ３で、予約録画の設定データの入力中であるか否かが判断され、予約録画の設定データの入力中である場合、ステップＳ４に進み、予約録画の設定データの入力中でない場合、ステップＳ６に進む。
【００３３】
ステップＳ４で、少なくとも予約録画の行うために必要な所定の予約録画の設定データが入力されたか否かが判断され、所定の予約録画の設定データが入力された場合、ステップＳ５に進み、所定の予約録画の設定データが入力されていない場合、ステップＳ６に進む。
【００３４】
ステップＳ５で、書き換え可能な記録媒体が記録再生装置に装着されているか否かが判断され、書き換え可能な記録媒体が記録再生装置に装着されている場合、ステップＳ７に進み、書き換え可能な記録媒体が記録再生装置に装着されていない場合、ステップＳ６に進む。
【００３５】
ステップＳ６で、記録再生装置の自動電源オフ時間が設定されているか否かが判断され、記録再生装置の自動電源オフ時間が設定されている場合、ステップＳ８に進み、記録再生装置の自動電源オフ時間が設定されていない場合、ステップＳ７に進む。
【００３６】
ステップＳ７で、記録再生装置の自動電源オフ時間がデフォルト値に設定変更され、ステップＳ８に進む。
【００３７】
ステップＳ８で、記録再生装置の未動作が継続しているか否かが判断され、記録再生装置の未動作が継続している場合、ステップＳ９に進み、記録再生装置の未動作が継続していない場合、ステップＳ１３に進んで処理を終了する。
【００３８】
ステップＳ９で、記録再生装置の未動作時間が計時され、ステップＳ１０に進む。
【００３９】
ステップＳ１０で、自動電源オフ時間が経過したか否かが判断され、自動電源オフ時間が経過した場合、ステップＳ１１に進み、自動電源オフ時間が経過していない場合、ステップＳ８に戻って、ステップＳ８からのステップを繰り返す。
【００４０】
ステップＳ１１で、時計回路から出力された日付／時刻情報の日付／時刻が不揮発性メモリに記憶されている予約録画の設定データの放送日の録画開始時刻の所定時間前であるか否かが判断され、予約録画の設定データの放送日の録画開始時刻の所定時間前である場合、ステップＳ１３に進んで処理を終了し、予約録画の録画開始時刻の放送日の所定時間前でない場合、ステップＳ１２に進む。
【００４１】
ステップＳ１２で、電源制御回路に制御信号が送出されて記録再生装置の電源がオフにされ、ステップＳ１３に進んで処理を終了する。
【００４２】
また、図５の本発明の一実施例の記録再生装置の予約録画の動作を示すフローチャートを基に説明する。
【００４３】
時計回路から出力された日付／時刻情報の日付／時刻が予約録画の設定データの放送日の録画開始時刻の所定時間前になると、ステップＳ２１からステップＳ２２に進み、ステップＳ２２で、記録再生装置の電源がオフになっているか否かが判断され、記録再生装置の電源がオフになっている場合、ステップＳ２３に進み、記録再生装置の電源がオフになっていない場合、ステップＳ２４に進む。
【００４４】
ステップＳ２３で、記録再生装置の電源がオンにされ、チューナに制御信号が送出されて、メモリに記憶されている予約録画の設定データのチャンネルのテレビ放送が受信されて予約録画が準備され、ステップＳ２４に進む。
【００４５】
ステップＳ２４で、時計回路から出力された日付／時刻情報の時刻が予約録画の設定データの録画開始時刻になったか否かが判断され、予約録画の設定データの録画開始時刻になった場合、ステップＳ２５に進み、予約録画の設定データの録画開始時刻になっていない場合、ステップＳ２４のステップを繰り返す。
【００４６】
ステップＳ２５で、チューナにより受信されたテレビ放送番組の予約録画が開始され、ステップＳ２６に進む。
【００４７】
ステップＳ２６で、予約録画の設定データに録画終了時刻が設定されているか否かが判断され、予約録画の設定データに録画終了時刻が設定されている場合、ステップＳ３０に進み、予約録画の設定データに録画終了時刻が設定されていない場合、ステップＳ２７に進む。
【００４８】
ステップＳ２７で、リモコン装置の操作キーの操作により予約録画の設定データに録画終了時刻が設定されたか否かが判断され、予約録画の設定データに録画終了時刻が設定された場合、ステップＳ３０に進み、予約録画の設定データに録画終了時刻が設定されていない場合、ステップＳ２８に進む。
【００４９】
ステップＳ２８で、リモコン装置の電源キーの操作により記録再生装置の電源オフが指令されたか否かが判断され、記録再生装置の電源オフが指令された場合、ステップＳ３１に進み、記録再生装置の電源オフが指令されていない場合、ステップＳ２９に進む。
【００５０】
ステップＳ２９で、記録媒体の記録領域の終端になったか否かが判断され、記録媒体の記録領域の終端になった場合、ステップＳ３１に進み、記録媒体の記録領域の終端になっていない場合、ステップＳ２７に戻って、ステップＳ２７からのステップを繰り返す。
【００５１】
ステップＳ３０で、時計回路から出力された日付／時刻情報の時刻が予約録画の設定データの録画終了時刻になったか否かが判断され、予約録画の設定データの録画終了時刻になった場合、ステップＳ３１に進み、予約録画の設定データの録画終了時刻になっていない場合、ステップＳ３０のステップを繰り返す。
【００５２】
ステップＳ３１で、予約録画を終了して、電源制御回路に制御信号が送出されて記録再生装置の電源がオフにされ、ステップＳ３２に進んで処理を終了する。
【００５３】
以上、本発明を実施するための最良の形態について詳述したが、本発明はこれに限らず、当業者の通常の知識の範囲内でその変形や改良が可能である。例えば、少なくとも予約録画を行うために必要な予約録画の設定データをチャンネル、放送日、録画開始時刻として説明したが、予約録画の設定データの放送日が設定されず、チャンネル、録画開始時刻が設定されている場合、その録画開始時刻を２４時間以内の時刻として予約録画を行うようにしてもよい。
【００５４】
また、リモコン装置に設けられた各種操作キーは、記録再生装置の操作パネルにも設けるようにしてもよい。
【図面の簡単な説明】
【００５５】
【図１】本発明の一実施例の記録再生装置の構成を示すブロック図である。
【図２】本発明の一実施例の記録再生装置のリモコン装置を示す説明図である。
【図３】本発明の一実施例の記録再生装置の自動電源オフ時間の設定画面の表示例を示す図である。
【図４】本発明の一実施例の記録再生装置の自動電源オフの動作を示すフローチャートである。
【図５】本発明の一実施例の記録再生装置の予約録画の動作を示すフローチャートである。
【符号の説明】
【００５６】
１０  記録再生装置
１１  チューナ
１２  検波増幅回路
１３  記録再生部
１４  ＯＳＤ回路
１５  マイコン
１６  ＥＥＰＲＯＭ
１７  時計回路
１８  リモコン受信部
１９  電源制御回路
２０  アンテナ
２１  リモコン装置
２１ａ  電源キー
２１ｂ  メニュキー
２１ｃ  カーソルキー
２１ｄ  決定キー
２１ｅ  チャンネルキー
２１ｆ  予約キー
３０  モニタ装置
３０ａ  画面
【図１】
2005136576.tif 000003
【図２】
2005136576.tif 000004
【図３】
2005136576.tif 000005
【図４】
2005136576.tif 000006
【図５】
2005136576.tif 000007